(57)【特許請求の範囲】
【請求項１】
マットスラブの下面の外周縁に沿って打設された外周杭と、該外周杭の内側に打設された内周杭とで構成され、これらの外周杭と内周杭とを打設地盤を挟持できるような狭い間隔で打設して、この内周杭で挟み付けてその一部に取り込んだ取り込み地盤を小区画杭とし、外周杭と内周杭とで挟み付けてその一部に取り込んだ取り込み地盤を大区画杭としたことを特徴とする基礎構造。
【発明の詳細な説明】
【０００１】
【発明の属する技術分野】
本発明は基礎構造に関するものである。
【０００２】
【従来の技術】
一般に地盤上に構築される鉄筋コンクリート造などの建物は、図６に示すように、建物２６の柱２７直下に設けられたコンクリート杭や鋼管杭などの杭２８により、建物２６の鉛直荷重および水平荷重を支持している。
【０００３】
【発明が解決しようとする課題】
しかし、上記のような杭は鉛直荷重を支持しながら、地震などによる水平荷重にも抵抗しなければならないために大断面となっていた。また前記杭を現場打ちコンクリートで構築する場合は工期が長く、かつコスト高となっていた。
【０００４】
本発明は上記のような問題に鑑みてなされたものであり、その目的は、建物の垂直荷重と水平荷重の双方を負担する杭を簡単かつ経済的に構築することである。
【０００５】
【課題を解決するための手段】
以上の課題を解決するための本発明の手段は、マットスラブの下面の外周縁に沿って打設された外周杭と、該外周杭の内側に打設された内周杭とで構成され、これらの外周杭と内周杭とを打設地盤を挟持できるような狭い間隔で打設して、この内周杭で挟み付けてその一部に取り込んだ取り込み地盤を小区画杭とし、外周杭と内周杭とで挟み付けてその一部に取り込んだ取り込み地盤を大区画杭としたことを特徴とする。
【０００６】
外周杭と内周杭とを打設地盤を挟持できるような狭い間隔で打設して、この内周杭で挟み付けてその一部に取り込んだ取り込み地盤を小区画杭とし、外周杭と内周杭とで挟み付けてその一部に取り込んだ取り込み地盤を大区画杭としたことにより、これらの杭が打設された地盤全体を建物の基礎とすることができ、鉛直荷重は小区画杭と大区画杭とで負担し、水平荷重および引張荷重は小区画杭と大区画杭とで抵抗することができ、現場打ちコンクリート杭などの大断面杭と同じか、それ以上の働きをすることができる。
【００１１】
【発明の実施の形態】
以下、本発明における基礎構造の実施の形態を図面に基づいて詳細に説明する。図１は第１の実施の形態の基礎構造の断面図、図２は図１のＡ−Ａ線断面図、図３は基礎構造の斜視図である。
【００１２】
第１の実施の形態の基礎構造１はマットスラブ２と、該マットスラブ２の外周縁に沿って打設された外周杭３および、該外周杭３の内側に打設された内周杭４とから構成されている。前記外周杭３および内周杭４は、支持地盤５に到達しない長さの既製コンクリート杭６を狭い間隔、すなわち隣接した既製コンクリート杭６同士で打設地盤７を挟持できるような間隔で打設して形成されている。したがって、内周杭４で囲まれた小区画８における取り込み地盤９は、内周杭４で挟み付けてその一部に取り込まれることにより杭の一種となる。一方、外周杭３と内周杭４との間の大区画１０における取り込み地盤１１も、外周杭３と内周杭４とで挟み付けてその一部に取り込まれることにより杭の一種となる。よって小区画８および大区画１０における取り込み地盤９、１１はそれぞれ小区画杭１２と大区画杭１３とになって基礎構造１の一部となる。
【００１３】
このようにマットスラブ２の範囲内における打設地盤７を外周杭３と内周杭４との一部として、大区画杭１３および小区画杭１２を形成することにより鉛直荷重、水平荷重および引張荷重に対応する。このため従来のように現場打ちコンクリート杭などの大断面の杭を支持地盤５にまで打設しなくとも、既製コンクリート杭６などの短杭を狭い間隔で多数打設して打設地盤７をその一部とすることにより、現場打ちコンクリート杭と同程度、あるいはそれ以上の働きをすることができるようになる。すなわち鉛直荷重は小区画杭１２と大区画杭１３とで負担するとともに、水平荷重および引張荷重は小区画杭１２と大区画杭１３とでそれぞれ抵抗するようになる。
【００１４】
なお、前記既製コンクリート杭６の長さおよび打設間隔は、地盤の性状、建物の平面形状や高さ、その他の条件によって決定される。
【００１５】
図４は第２の実施の形態の基礎構造を示し、打設地盤７を小さく区切った以外は第１の実施の形態の基礎構造１とほとんど同じ構成であり、異なった構成にのみ異なった符号を付けて説明する。
【００１６】
図４の（１）は外周杭３で囲まれた大区画１０を４つに区切って形成した基礎構造１５であり、各区画が杭の一種となって第１区画杭〜第４区画杭１６ａ、１６ｂ、１６ｃ、１６ｄを構築している。このように取り込み地盤１７をより小さくすると既製コンクリート杭６との一体性を強くすることができる。したがって、これらの４つの杭１６ａ、１６ｂ、１６ｃ、１６ｄで鉛直荷重、水平荷重および引張荷重に対応する。
【００１７】
また図４の（２）は外周杭３で囲まれた大区画１０をさらに細かく８つに区切って形成した基礎構造１８であり、既製コンクリート杭６との一体性がさらに強くなった第１区画小杭〜第８区画小杭１９ａ、１９ｂ、１９ｃ、１９ｄ、１９ｅ、１９ｆ、１９ｇ、１９ｈが構築されたことになる。よって前記と同様、これらの小杭１９ａ、１９ｂ、１９ｃ、１９ｄ、１９ｅ、１９ｆ、１９ｇ、１９ｈで鉛直荷重、水平荷重および引張荷重に対応する。
【００１８】
図５は第３の実施の形態の基礎構造を示し、打設地盤７を平面三角形などに区切った以外は第１の実施の形態の基礎構造１と同じ構成であり、異なった構成にのみ異なった符号を付けて説明する。
【００１９】
図５の（１）は外周杭３で囲まれた大区画１０を１つの四角区画２０と、４つの三角区画２１とに区切って形成した基礎構造２２である。また同図の（２）は外周杭３で囲まれた大区画１０を８つの三角区画２３に区切って形成した基礎構造２４である。これら（１）および（２）における作用効果は第２の実施の形態の基礎構造１５、１８とほとんど同じである。
【００２０】
なお、上記以外にも平面円形の区画を形成することができ、さらにマットスラブの範囲内における打設地盤に既製コンクリート杭を狭い間隔でランダムに打設し、これらの既製コンクリート杭同士で打設地盤を挟み付けてその一部に取り込んで杭の一種とする（図示せず）。
【００２１】
【発明の効果】
杭同士で地盤を挟み付けて杭の一種とすることにより、杭が打設された地盤全体を建物の基礎とすることができるとともに、このような基礎によって鉛直荷重を負担するとともに、水平荷重および引張荷重にも十分に抵抗することができる。
【００２２】
地盤を利用して打設杭よりも大きな杭を複数形成することができる。
【００２３】
狭い範囲の地盤を既製コンクリート杭で挟み付けて取り込むことにより、既製コンクリート杭との一体性を強くすることができる。
【００２４】
現場打ちコンクリート杭と同程度、あるいはそれ以上の働きをする杭を短期間かつ低コストで構築することができる。
【図面の簡単な説明】
【図１】第１の実施の形態の基礎構造の縦断面図である。
【図２】図１のＡ−Ａ線断面図である。
【図３】第１の実施の形態の基礎構造の斜視図である。
【図４】（１）および（２）は第２の実施の形態の基礎構造の横断面図である。
【図５】（１）および（２）は第３の実施の形態の基礎構造の横断面図である。
【図６】従来の基礎構造の断面図である。
【符号の説明】
１、１５、１８、２２、２４  基礎構造
２  マットスラブ
３  外周杭
４  内周杭
５、２８  支持地盤
６  既製コンクリート杭
７  打設地盤
８  小区画
９、１１、１７  取り込み地盤
１０  大区画
１２  大区画杭
１３  小区画杭
１６ａ  第１区画杭
１６ｂ  第２区画杭
１６ｃ  第３区画杭
１６ｄ  第４区画杭
１９ａ  第１区画小杭
１９ｂ  第２区画小杭
１９ｃ  第３区画小杭
１９ｄ  第４区画小杭
１９ｅ  第５区画小杭
１９ｆ  第６区画小杭
１９ｇ  第７区画小杭
１９ｈ  第８区画小杭
２０  四角区画
２１、２３  三角区画
２６  建物
２７  柱
２８  杭
【図１】
0003636928.tif 000002
【図２】
0003636928.tif 000003
【図３】
0003636928.tif 000004
【図４】
0003636928.tif 000005
【図５】
0003636928.tif 000006
【図６】
0003636928.tif 000007